(57)【要約】【課題】  従来技術は、スケジュール入力時にマナーモードの設定を行わなければならないという煩わしさがあった。本発明の目的は、スケジュール入力時にマナーモードの設定を行わなくても、自動的にマナーモードの設定の設定ができるようにすることにある。【解決手段】  スケジュール機能を有する携帯型移動通信端末において、キーボード部７から入力された設定日時、用件などのスケジュールの各項目を設定記憶し、スケジュールの用件に関する項目に特定のキーワードが含まれていた場合に自動的にマナーモードの設定を行う年月日、時間帯を記憶するスケジュール記憶部９と、入力された用件に特定のキーワードが含まれているかどうかを判定するマナーモードキーワード記憶部２０と、前記スケジュール記憶部９に設定された年月日、時間帯に前記携帯型移動通信端末の前記マナーモードの設定を行うマナー制御部４ａとを備える。【選択図】図１
2006115278.tif 000002
【特許請求の範囲】
【請求項１】
スケジュール機能を有する携帯型移動通信端末のマナーモード設定方法において、
キーボード部から入力されたスケジュールに関する用件の項目にマナーモード設定に関する特定のキーワードが含まれている場合に、該キーワードが含まれていることを自動的に判定しマナーモードに設定することを特徴とする携帯型移動通信端末のマナーモード設定方法。
【請求項２】
前記マナーモード設定に関する特定のキーワードは文字列であることを特徴とする請求項１記載の携帯型移動通信端末のマナーモード設定方法。
【請求項３】
スケジュール機能を有する携帯型移動通信端末の電源ＯＦＦ設定方法において、
キーボード部から入力されたスケジュールに関する用件の項目に電源ＯＦＦ設定に関する特定のキーワードが含まれている場合に、該キーワードが含まれていることを自動的に判定し電源ＯＦＦに設定することを特徴とする携帯型移動通信端末の電源ＯＦＦ設定方法。
【請求項４】
前記電源ＯＦＦ設定に関する特定のキーワードは文字列であることを特徴とする請求項３記載の携帯型移動通信端末の電源ＯＦＦ設定方法。
【請求項５】
スケジュール機能を有する携帯型移動通信端末のマナーモード設定方法において、
キーボード部から入力されたスケジュールに関する用件の項目にマナーモード設定に関する特定のアイコン又はイメージが含まれている場合に、該アイコン又はイメージが含まれていることを自動的に判定しマナーモードに設定することを特徴とする携帯型移動通信端末のマナーモード設定方法。
【請求項６】
スケジュール機能を有する携帯型移動通信端末の電源ＯＦＦ設定方法において、
キーボード部から入力されたスケジュールに関する用件の項目に電源ＯＦＦ設定に関する特定のアイコンやイメージが含まれている場合に、該アイコンやイメージが含まれていることを自動的に判定し電源ＯＦＦに設定することを特徴とする携帯型移動通信端末の電源ＯＦＦ設定方法。
【請求項７】
スケジュール機能を有する携帯型移動通信端末において、
設定日時、用件を含むスケジュールの各項目を入力するキーボード部と、
前記キーボード部から入力された前記設定日時、用件を含むスケジュールの各項目、及びマナーモードが実行される年月日、時間帯を記憶するスケジュール記憶部と、
前記キーボード部から入力されたスケジュールの用件の項目に特定のキーワードが含まれているかどうかを判定するマナーモードキーワード判定部と、
前記マナーモードキーワード判定部でスケジュールの用件の項目に特定のキーワードが含まれていると判定された場合、前記特定のキーワードが含まれている用件に対応する年月日、時間帯をマナーモードが実行される年月日、時間帯として前記スケジュール記憶部に設定を行うマナー制御部とを備えることを特徴とする携帯型移動通信端末。
【請求項８】
スケジュール機能を有する携帯型移動通信端末において、
設定日時、用件を含むスケジュールの各項目を入力するキーボード部と、
前記キーボード部から入力された前記設定日時、用件を含むスケジュールの各項目、及び電源ＯＦＦが実行される年月日、時間帯を記憶するスケジュール記憶部と、
前記キーボード部から入力されたスケジュールの用件の項目に電源ＯＦＦに関する特定のキーワードが含まれているかどうかを判定するマナーモードキーワード判定部と、
前記マナーモードキーワード判定部でスケジュールの用件の項目に電源ＯＦＦに関する特定のキーワードが含まれていると判定された場合、前記特定のキーワードが含まれている用件に対応する年月日、時間帯を電源ＯＦＦが実行される年月日、時間帯として前記スケジュール記憶部に設定を行うマナー制御部とを備えることを特徴とする携帯型移動通信端末。
【発明の詳細な説明】
【技術分野】
【０００１】
本発明は携帯電話など携帯型移動通信端末に係り、特に特定場所でのマナーモード設定や電源ＯＦＦ設定をスケジュールに合わせて自動的に行うことができる携帯型移動通信端末に関する。
【背景技術】
【０００２】
近年、携帯電話など携帯型移動通信端末が普及している。携帯型移動通信端末は、いつでも、どこでも手軽に通信ができる反面、携帯型移動通信端末から発する音や電波が周囲に悪影響を及ぼす場合がある。例えば医療機関や飛行機の内部では電波により機器の誤動作を誘発する場合があり、あるいは映画館や会議中などでは着信音や話し声が他人に迷惑を及ぼす。公共施設や電車内でもマナーモード設定や電源ＯＦＦの協力依頼をよく耳にする。
【０００３】
したがって、携帯型移動通信端末が周囲に悪影響を及ぼすことが想定される場合には、手動によりマナーモードに設定したり、特開２００１−２２４０７５号公報に見られるように、スケジュール入力時にマナーモードの設定をユーザーが行い、スケジュール機能に連動させ、マナーモードのＯＮ／ＯＦＦ設定を行っていた。
【特許文献１】特開２００１−２２４０７５号公報
【発明の開示】
【発明が解決しようとする課題】
【０００４】
上記特許文献１に記載された従来技術は、スケジュール機能を利用してマナーモードの設定を行えば、予定時間にマナーモードとなり便利ではあるが、スケジュール入力時にマナーモードの設定を行わなければならないという煩わしさがあった。
【０００５】
本発明の目的は、スケジュール入力時にマナーモードの設定あるいは電源ＯＦＦ設定を行わなくても、自動的にマナーモードの設定あるいは電源ＯＦＦの設定ができるようにすることにある。
【課題を解決するための手段】
【０００６】
本発明の請求項１に係る発明の要旨は、スケジュール機能を有する携帯型移動通信端末のマナーモード設定方法において、キーボード部から入力されたスケジュールに関する用件の項目にマナーモード設定に関する特定のキーワードが含まれている場合に、該キーワードが含まれていることを自動的に判定しマナーモードに設定することを特徴とする携帯型移動通信端末のマナーモード設定方法に存する。
また、本発明の請求項２に係る発明の要旨は、前記マナーモード設定に関する特定のキーワードは文字列であることを特徴とする請求項１記載の携帯型移動通信端末のマナーモード設定方法に存する。
また、本発明の請求項３に係る発明の要旨は、スケジュール機能を有する携帯型移動通信端末の電源ＯＦＦ設定方法において、キーボード部から入力されたスケジュールに関する用件の項目に電源ＯＦＦ設定に関する特定のキーワードが含まれている場合に、該キーワードが含まれていることを自動的に判定し電源ＯＦＦに設定することを特徴とする携帯型移動通信端末の電源ＯＦＦ設定方法に存する。
また、本発明の請求項４に係る発明の要旨は、前記電源ＯＦＦ設定に関する特定のキーワードは文字列であることを特徴とする請求項３記載の携帯型移動通信端末の電源ＯＦＦ設定方法に存する。
また、本発明の請求項５に係る発明の要旨は、スケジュール機能を有する携帯型移動通信端末のマナーモード設定方法において、キーボード部から入力されたスケジュールに関する用件の項目にマナーモード設定に関する特定のアイコン又はイメージが含まれている場合に、該アイコン又はイメーがジ含まれていることを自動的に判定しマナーモードに設定することを特徴とする携帯型移動通信端末のマナーモード設定方法に存する。
また、本発明の請求項６に係る発明の要旨は、スケジュール機能を有する携帯型移動通信端末の電源ＯＦＦ設定方法において、キーボード部から入力されたスケジュールに関する用件の項目に電源ＯＦＦ設定に関する特定のアイコンやイメージが含まれている場合に、該アイコンやイメージが含まれていることを自動的に判定し電源ＯＦＦに設定することを特徴とする携帯型移動通信端末の電源ＯＦＦ設定方法に存する。
また、本発明の請求項７に係る発明の要旨は、スケジュール機能を有する携帯型移動通信端末において、設定日時、用件を含むスケジュールの各項目を入力するキーボード部と、前記キーボード部から入力された前記設定日時、用件を含むスケジュールの各項目、及びマナーモードが実行される年月日、時間帯を記憶するスケジュール記憶部と、前記キーボード部から入力されたスケジュールの用件の項目に特定のキーワードが含まれているかどうかを判定するマナーモードキーワード判定部と、前記マナーモードキーワード判定部でスケジュールの用件の項目に特定のキーワードが含まれていると判定された場合、前記特定のキーワードが含まれている用件に対応する年月日、時間帯をマナーモードが実行される年月日、時間帯として前記スケジュール記憶部に設定を行うマナー制御部とを備えることを特徴とする携帯型移動通信端末に存する。
また、本発明の請求項８に係る発明の要旨は、スケジュール機能を有する携帯型移動通信端末において、設定日時、用件を含むスケジュールの各項目を入力するキーボード部と、前記キーボード部から入力された前記設定日時、用件を含むスケジュールの各項目、及び電源ＯＦＦが実行される年月日、時間帯を記憶するスケジュール記憶部と、前記キーボード部から入力されたスケジュールの用件の項目に電源ＯＦＦに関する特定のキーワードが含まれているかどうかを判定するマナーモードキーワード判定部と、前記マナーモードキーワード判定部でスケジュールの用件の項目に電源ＯＦＦに関する特定のキーワードが含まれていると判定された場合、前記特定のキーワードが含まれている用件に対応する年月日、時間帯を電源ＯＦＦが実行される年月日、時間帯として前記スケジュール記憶部に設定を行うマナー制御部とを備えることを特徴とする携帯型移動通信端末に存する。
【発明の効果】
【０００７】
本発明によれば、スケジュールにマナーモードに関する特定のキーワード、あるいはアイコンやイメージが入力されていた場合（例えば「会議」「打ち合わせ」「通勤」、あるいはこれらに対応するアイコンやイメージなど）、その特定の時間のみ自動的にマナーモードに設定される。また、スケジュールに電源ＯＦＦ設定に関する特定のキーワード、あるいはアイコンやイメージが入力されていた場合（例えば「病院」「映画」「フライト」、あるいはこれらに対応するアイコンやイメージなど）、その特定の時間のみ自動的に電源がＯＦＦされる。したがって、スケジュールを入力するだけで、いちいちマナーモード設定や電源ＯＦＦ設定を行う必要がないという効果を奏する。
【発明を実施するための最良の形態】
【０００８】
図１に本発明の携帯型移動通信端末の概要構成図を示す。また、図２にマナーモード設定の制御フローチャートを示す。図３はマナーモードが設定されるスケジュールの具体的な設定画面の例を示したものである。また、図４に電源ＯＦＦ設定の制御フローチャートを示す。図５は電源ＯＦＦが設定されるスケジュールの具体的な設定画面の例を示したものである。以下、図１乃至図５を参照して詳細に説明していく。
【０００９】
図１に示すように、携帯型移動通信端末にはアンテナ部１が設けられ、アンテナ部１は基地局との無線信号の送受信を行う。アンテナ部１には無線部２、ベースバンド処理部３が接続され、無線部２、ベースバンド処理部３は入力及び出力無線信号の変復調を行う。ベースバンド処理部３には制御部４が接続される。制御部４はマイクロコンピュータを備え、主に機能動作を制御する。
【００１０】
さらに、携帯型移動通信端末には電源１９が接続され、電源１９は携帯型移動通信端末に電力を供給する。
【００１１】
さらにベースバンド処理部３にはレシーバ１１が接続され、レシーバ１１は携帯型移動通信端末の受話部として機能する。さらに、ベースバンド処理部３にはマイクロフォン１２が接続され、マイクロフォン１２は携帯型移動通信端末の送話部として機能する。
【００１２】
制御部４には表示部１５が接続されている。表示部１５は電話番号、時計、サービス圏内／圏外、電話帳表示、スケジュール表示、カレンダー表示、メモ帳表示、現在のモード等の表示を行う。
【００１３】
また、制御部４には音量出力制御部１７が接続されている。音量出力制御部１７は制御部４の制御によりサウンダ１８の音量出力レベルを調整する。サウンダ１８は着信音を発するスピーカである。また、制御部４には、バイブレーション部１６が接続されている。マナーモード時など着信音をサウンダ１８から鳴動させない場合などに駆動する回路である。バイブレーション部１６は振動により着信を報知する振動モータである。
【００１４】
また、制御部４には複数のキーボタンを有するキーボード部７が接続され、このキーボード部７はキー入力を認識し、制御部４に伝達する。また、携帯型移動通信端末にはキーボード部７にマナーモード設定専用のキーが設けられていることが多く、マナーモードに設定する場合、ユーザーが手動でマナーモード（サウンダ１８からの音量出力無し）にすることができる。
【００１５】
また、制御部４には電話帳５が接続されている。電話帳５は名前と電話番号とを記憶するメモリである。また、制御部４にはメモ帳６が接続される。メモ帳６はユーザーによりキーボード部７から入力されたメモ等を記憶するメモリである。また、制御部４にはカレンダー管理部８が接続される。カレンダー管理部８はカレンダー機能を記憶するメモリである。
また、制御部４にはスケジュール記憶部９が接続され、ユーザーによりキーボード部７から入力されたスケジュールの用件が格納される。
【００１６】
また、制御部４にはクロック回路１４が接続される。クロック回路１４は制御部４が動作するためのクロックを供給する回路である。また、制御部４には時計機能部１３が接続される。時計機能部１３はクロック回路１４のクロックを使用して現在の時間情報を管理する。
【００１７】
また、制御部４にはスケジュール管理部１０が接続され、更に、このスケジュール管理部１０にはマナーモードキーワード記憶部２０が接続されている。マナーモードキーワード記憶部２０にはマナーモードキーワードが記憶されている。スケジュール管理部１０はスケジュールを起動して、年月日、開始時、終了時、用件の状態を１組として管理する。また、スケジュール管理部１０は、マナーモードキーワード記憶部２０に記憶されているマナーモードキーワードと、スケジュール記憶部９に記憶された用件の記述を照合してスケジュール用件のキーワード判別を行い、特定キーワードが含まれるスケジュールを起動した時に、マナー制御部４ａにマナーモード設定、あるいは電源ＯＦＦ設定を行うための制御を行う。
【００１８】
また、制御部４にはマナー制御部４ａが設けられる。マナー制御部４ａは、スケジュール管理部１０からのスケジュールに従い、音量出力制御部１７の制御、バイブレーション部１６の制御、及び電源ＯＮ／ＯＦＦの制御を行う。
【００１９】
図２は、マナーモード設定に対する本発明の具体的実施例を示すもので、図１における制御部４のマナー制御部４ａによるスケジュール記憶部９の入出力動作の制御例を説明するフローチャートである。
【００２０】
図２に示すように、ステップＳ１０１において、キーボード部７を使用しスケジュールの情報が入力される。ステップＳ１０２において、キーボード部７操作後、例えば、図３に示すように、「設定日時」に「２００４／１／２０／１３：００〜１６：００」、「繰り返し」の指定に「なし」、「通知」の有無に「しない」、「アラーム音」の設定に「アラーム１」、「用件」に「○○映画館「△△の逆襲」」が設定された状態となる。マナー制御部４ａの制御により、表示部１５にはキーボード部７から入力された入力情報が表示され、スケジュール記憶部９に記憶される。
【００２１】
スケジュール管理部１０では、ステップＳ１０３において、スケジュールの情報として用件が入力されているかのチェックを行い、用件が入力されていればステップＳ１０４に進み、ステップＳ１０４でマナーモードキーワード記憶部２０よりキーワードを読み込み、スケジュール用件のキーワード照合を行う。
【００２２】
マナーモードキーワードの例として、「会議」「打ち合わせ」「通勤」などが挙げられる。これらのマナーモードキーワードは追加／削除／変更などができるように、マナーモードキーワード記憶部２０の書き換えが可能になっていることが好ましい。
【００２３】
ステップＳ１０３において、用件が入力されていなければステップＳ１０６に進み、通常のスケジュールとして設定され、スケジュール入力終了となる。
【００２４】
ステップＳ１０４での照合結果が「ＮＯ」であった場合にはステップＳ１０６に進み、通常のスケジュールとして設定され、スケジュール入力終了となる。
【００２５】
ステップＳ１０４において、照合結果が「ＹＥＳ」であった場合は、ステップＳ１０５へ進み、マナー制御部４ａの制御により、マナーモードＯＮ設定と、「日時設定」、「時間設定」、「繰り返し」、「通知」、「アラーム音」、「用件」の各設定項目の内容が関連づけられてスケジュール記憶部９に格納されスケジュール管理部１０で管理される。
【００２６】
ステップS１０６において、一連のスケジュール入力が終了となる。なお、図３に示した設定の例は一例であり、設定項目は適宜変更できることはいうまでもない。
【００２７】
次に、携帯型移動通信端末の電源ＯＦＦの設定をする場合の動作について、用件内に特定文字（例えば、「病院」）が入力されている例をとって説明する。
【００２８】
本動作は、従来の自動電源ＯＮ、自動電源ＯＦＦ機能をスケジュールと連動させることによって実現する。ただし、スケジュール機能であるため、設定した時間に電源をＯＦＦにしてしまうと、用件の確認ができなくなる。
【００２９】
しかしながら、医療機関屋内に持ち込んだ場合、特開平１０−２００４６９号公報に記載されるように、自機が発する電波により医療機器へ悪影響を与えるという問題があるため、表示部１５およびその制御部以外の電源をＯＦＦにするようにする。すなわち、表示およびキー操作以外動作しないため、携帯型移動通信端末から電波を発することはなく医療機器へ悪影響を与えることはない。
【００３０】
図４に、電源のＯＦＦが設定された場合のスケジュール起動時の動作フローを示し説明する。
電源ＯＦＦが有効になるスケジュール設定の例を図５に示す。
【００３１】
図４に示すように、ステップＳ３０１でスケジュールが起動されると、ステップＳ３０２にて、ユーザーによりキーボード部７から入力されたスケジュールが電源ＯＦＦ設定有りのスケジュールかどうかの判定を行い、判定が「ＹＥＳ」であった場合、Ｓ３０３にて電源をＯＦＦにする。図５の例では用件に「病院」のキーワードがあるので電源ＯＦＦ設定有りのスケジュールであると判定される。
【００３２】
ステップＳ３０４ではスケジュール終了設定時間をカウントし、終了時間になったらステップＳ３０５にて電源をＯＮとし、スケジュールを終了する。
【００３３】
ステップＳ３０２にて、判定結果が「ＮＯ」の場合は、通常スケジュールとして電源制御は行わず、ステップＳ３０７においてスケジュール終了時間を判定し、終了時間になったらスケジュールを終了する。
【００３４】
電源ＯＦＦ設定のキーワードの例として、「病院」「映画」「フライト」などが挙げられる。これらのマナーモードキーワードは追加／削除／変更などができるように、マナーモードキーワード記憶部２０の書き換えが可能になっていることが好ましい。
【００３５】
（発明の他の実施の形態）
スケジュール入力の際、スケジュール一覧時などに内容がわかるようにアイコンやイメージを同時に登録することが多い。例えば年月日：２００４年１月２０日、開始時間１３：００、終了時間１５：００に会議を設定するときなど、会議と見てわかるようなイメージやアイコンを選択させスケジュールと一緒に登録する。ここで登録されたイメージやアイコンが「会議」「打ち合わせ」「通勤」などの場合、自動的に設定された時間にマナーモード設定される。
【００３６】
また、「病院」「映画」「フライト」に対応するイメージやアイコンなどの場合には、自動的に設定された時間に電源ＯＦＦに設定される。
検索方法は、基本的に前述のように、あらかじめ特定のアイコンやイメージをマナーモードや電源ＯＦＦに関連付け、そのアイコンやイメージを設定することによって、その時間帯にマナーモード、あるいは電源ＯＦＦを設定する。
【００３７】
この実施の形態でも図２、図４と同様の制御フローで実施することができる。すなわち図２のステップＳ１０４で用件にアイコンやイメージが検出されたら、マナーモードキーワード記憶部２０に登録されているアイコンやイメージと、スケジュール用件のアイコンやイメージとの照合を行い、そのアイコンやイメージがマナーモード設定に対応するアイコンやイメージである場合にはステップＳ１０５に進むようにすればよい。
【００３８】
また、図４のステップＳ３０２で用件にアイコンやイメージが検出されたら、マナーモードキーワード記憶部２０に登録されているアイコンやイメージと、スケジュール用件のアイコンやイメージとの照合を行い、そのアイコンやイメージが電源ＯＦＦ設定に対応するアイコンやイメージである場合にはステップＳ３０３に進むようにすればよい。
【００３９】
第１の実施の形態の、用件の項目欄に記入されたキーワードによりマナーモード設定、あるいは電源ＯＦＦ設定を行う場合であると、同一内容に対し例えば「映画館」や「シアター」など、キーワードの記入の仕方が複数存在する場合があり、登録キーワードが多くなるが、この実施の形態によれば、イメージやアイコンを決めておけば同一内容に対し１つ登録すればよく、キーワードの記入誤りや検索ミスもなくなり、確実にマナーモード設定、あるいは電源ＯＦＦ設定を行うことができる。
【００４０】
以上、具体的な実施の形態により本発明を説明したが、本発明は上記実施の形態で示した例に限定されず、本発明の要旨を変更しない範囲で適宜変更できることは言うまでもない。
【産業上の利用可能性】
【００４１】
本発明は携帯電話など携帯型移動通信端末に利用可能である。
【図面の簡単な説明】
【００４２】
【図１】本発明による具体的な実施の形態の構成を示した図である。
【図２】本発明による具体的な実施の形態の制御フローチャートを示した図である。
【図３】本発明による具体的な実施の形態のスケジュール設定状態を示した図である。
【図４】本発明による具体的な実施の形態の制御フローチャートを示した図である。
【図５】本発明による具体的な実施の形態のスケジュール設定状態を示した図である。
【符号の説明】
【００４３】
１・・・アンテナ部
２・・・無線部
３・・・ベースバンド処理部
４・・・制御部
４ａ・・・マナー制御部
５・・・電話帳
６・・・メモ帳
７・・・キーボード部
８・・・カレンダー管理部
９・・・スケジュール記憶部
１０・・・スケジュール管理部
１１・・・レシーバ
１２・・・マイクロフォン
１３・・・時計機能部
１４・・・クロック回路
１５・・・表示部
１６・・・バイブレーション部
１７・・・音量出力制御部
１８・・・サウンダ
１９・・・電源
２０・・・マナーモードキーワード記憶部
【図１】
2006115278.tif 000003
【図２】
2006115278.tif 000004
【図３】
2006115278.tif 000005
【図４】
2006115278.tif 000006
【図５】
2006115278.tif 000007